【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
携帯デバイス、特に、電気携帯デバイスのための容量性測定デバイスであって、該容量性測定デバイスは、該携帯デバイスへの接近を検出するためのものであり、該携帯デバイスは、少なくとも１つのセンサ電極を含み、
該容量性測定デバイスは、切替デバイスを有し、
該容量性測定デバイスの接地は、第１のモードの間、該切替デバイスによって、該携帯デバイスの導電性構造とガルバニックに接続可能であり、
該容量性測定デバイスは、少なくとも１つの接地電極を有する該携帯デバイスに配列され得る接地電極構造を有し、該容量性測定デバイスの該接地は、第２のモードの間、該切替デバイスによって、該導電性構造よりも小さい該少なくとも１つの接地電極とガルバニックに接続可能であり、
該第１のモードから該第２のモードに切り替えるとき、該少なくとも１つのセンサ電極によって検出されるセンサ信号は、同相干渉を受ける、容量性測定デバイス。
【請求項２】
前記切替デバイスは、
前記容量性測定デバイスの前記接地と
前記導電性構造、前記接地電極構造の少なくとも１つの接地電極とをガルバニックに接続するか、または、
該導電性構造もしくは該接地電極構造の接地電極のいずれともガルバニックに接続しないように適応される、請求項１に記載の容量性測定デバイス。
【請求項３】
前記接地電極構造は、少なくとも１つの第１の接地電極および少なくとも１つの第２の接地電極を有し、該少なくとも１つの第１の接地電極および該少なくとも１つの第２の接地電極は、前記携帯デバイスの上に、好ましくは該携帯デバイスの筐体の中に、好ましくは該携帯デバイスの筐体の内側に配列され、それにより、該携帯デバイスが手によって保持されるとき、該２つの接地電極のうちの少なくとも１つが、その手によって少なくとも部分的に被覆される、請求項１に記載の容量性測定デバイス。
【請求項４】
前記切替デバイスは、前記接地電極構造のどの接地電極に対しても、および前記導電性構造に対してもそれぞれ１つのスイッチを有し、各スイッチは、切替要素を備える、請求項１に記載の容量性測定デバイス。
【請求項５】
前記容量性測定デバイスは、基準容量を有し、該基準容量は、前記導電性構造とガルバニックに接続され、および切替要素を備えるスイッチによって、該容量性測定デバイスの前記接地とガルバニックに接続される、請求項１に記載の容量性測定デバイス。
【請求項６】
前記基準容量および結合容量は、本質的に等しい、請求項５に記載の容量性測定デバイス。
【請求項７】
前記切替要素の切替容量は、結合容量よりも有意に低い、請求項１に記載の容量性測定デバイス。
【請求項８】
容量性測定デバイスを用いて、携帯デバイス、特に、電気携帯デバイスへの手の接近を検出するための方法であって、該携帯デバイスは、導電性構造を有し、該容量性測定デバイスは、該導電性構造よりも小さい少なくとも１つの接地電極（ＥＭ、ＥＲ、ＥＬ）を有する接地電極構造と、少なくとも１つのセンサ電極とを有し、
第１の測定サイクルにおいて、該容量性測定デバイスの接地は、該携帯デバイスの該導電性構造とガルバニックに接続され、第１のセンサ信号が、該少なくとも１つのセンサ電極において検出され、
第２の測定サイクルにおいて、該容量性測定デバイスの該接地は、該接地電極構造の少なくとも１つの接地電極とガルバニックに接続され、第２のセンサ信号が、該少なくとも１つのセンサ電極において検出され、該第２のセンサ信号は、該第１の測定サイクルから該第２の測定サイクルに切り替えるとき、同相干渉を受け、
該第１のセンサ信号と該第２のセンサ信号との信号レベルの間の差が決定され、該決定された差は、該携帯デバイスへの該手の接近を示している、方法。
【請求項９】
前記接地電極構造は、前記携帯デバイスの上に配列された少なくとも１つの第１の接地電極および少なくとも１つの第２の接地電極を有し、それにより、手による該携帯デバイスの把持によって、該２つの接地電極のうちの少なくとも１つが、その手によって少なくとも部分的に被覆され、前記第２の測定サイクルにおいて、
最初に、該第１の接地電極は、前記容量性測定デバイスの前記接地とガルバニックに接続され、該第１の接地電極に関連付けられた第２のセンサ信号が、前記少なくとも１つのセンサ電極において検出され、
次に、該第２の接地電極は、該容量性測定デバイスの該接地とガルバニックに接続され、該第２の接地電極に関連付けられた第２のセンサ信号が、該少なくとも１つのセンサ電極において検出され、
該第１の接地電極に関連付けられた該第２のセンサ信号の前記信号レベルと該第１のセンサ信号のそれとの間の第１の差は、該第２の接地電極に関連付けられた該第２のセンサ信号の該信号レベルと該第１のセンサ信号のそれとの間の第２の差と比較され、該第１の差と該第２の差との間の差は、該２つの接地電極のうちのいずれが該手によって被覆されているかを示している、請求項８に記載の方法。
【請求項１０】
少なくとも前記第２の測定サイクルにおいて、前記導電性構造は、基準容量を用いて、前記容量性測定デバイスの前記接地と接続可能である、請求項８に記載の方法。
【請求項１１】
前記基準容量、および前記接地電極と前記導電性構造との間の結合容量は、それらが本質的に等しくなるように選択される、請求項１０に記載の方法。
【請求項１２】
前記接地電極、前記基準容量、および前記導電性構造は、切替要素を備えるスイッチを用いて、前記容量性測定デバイスの前記接地とそれぞれ接続可能であり、該切替要素の前記切替容量は、それらが結合容量よりも有意に低くなるように選択される、請求項１０に記載の方法。
【請求項１３】
較正ステップにおいて、前記導電性構造は、前記基準容量を用いて前記容量性測定デバイスの前記接地と接続され、第３のセンサ信号が、前記少なくとも１つのセンサ電極において検出され、それは、少なくとも１つの接地電極に対する基準センサ信号としての役割を果たし、該少なくとも１つの接地電極と関連付けられた前記第２のセンサ信号の信号レベルは、前記第１のセンサ信号の信号レベルと該第３のセンサ信号のそれとの間の差が、該第１のセンサ信号の信号レベルと該第２のセンサの信号のそれとの間の差を上回るとき、該少なくとも１つの接地電極への接近を示している、請求項１０に記載の方法。
【請求項１４】
少なくとも、第３のセンサ信号は、公差値によって補正される、請求項１３に記載の方法。
【手続補正２】
【補正対象書類名】明細書
【補正対象項目名】００２４
【補正方法】変更
【補正の内容】
【００２４】
携帯デバイスまたは電気携帯デバイスは、例えば、スマートフォン、モバイル無線ユニット、遠隔制御デバイス、デジタルカメラ、特に、タッチスクリーンを伴うデジタルカメラ、タッチスクリーンを伴うゲームコントローラまたはゲームコンソール、ポータブルミニコンピュータ、タブレットＰＣ、または類似物であることができる。
本願明細書は、例えば、以下の項目も提供する。
（項目１）
携帯デバイス、特に、電気携帯デバイスのための容量性測定デバイスであって、該容量性測定デバイスは、該携帯デバイスへの接近を検出するためのものであり、
該容量性測定デバイスは、切替デバイス（Ｓ）を有し、
該容量性測定デバイスの接地（ＧＮＤ）は、該切替デバイス（Ｓ）によって、該携帯デバイスの導電性構造（Ｇ）とガルバニックに接続可能であり、
該容量性測定デバイスは、少なくとも１つの接地電極（ＥＭ）を有する該携帯デバイスに配列され得る接地電極構造を有し、該容量性測定デバイスの該接地（ＧＮＤ）は、該切替デバイス（Ｓ）によって該少なくとも１つの接地電極（ＥＭ）とガルバニックに接続可能である、容量性測定デバイス。
（項目２）
前記切替デバイス（Ｓ）は、
前記容量性測定デバイスの前記接地（ＧＮＤ）と
前記導電性構造（Ｇ）、もしくは、
前記接地電極構造の少なくとも１つの接地電極（ＥＭ）とをガルバニックに接続するか、または、
該導電性構造（Ｇ）もしくは該接地電極構造の接地電極（ＥＭ）のいずれともガルバニックに接続しないように適応される、項目１に記載の容量性測定デバイス。
（項目３）
前記接地電極構造は、少なくとも１つの第１の接地電極（ＥＬ）および少なくとも１つの第２の接地電極（ＥＲ）を有し、これらは、前記携帯デバイスの上に、好ましくは該携帯デバイスの筐体の中に、好ましくは該携帯デバイスの筐体の内側に配列され、それにより、該携帯デバイスが手によって保持されるとき、該２つの接地電極（ＥＬ、ＥＲ）のうちの少なくとも１つが、その手によって少なくとも部分的に被覆される、項目１または２に記載の容量性測定デバイス。
（項目４）
前記切替デバイス（Ｓ）は、前記接地電極構造のどの接地電極（ＥＭ、ＥＬ、ＥＲ）に対しても、および前記導電性構造（Ｇ）に対してもそれぞれ１つのスイッチを有し、各スイッチは、切替要素（Ｓ１、Ｓ２、Ｓ３）を備える、項目１〜３のうちのいずれかに記載の容量性測定デバイス。
（項目５）
前記容量性測定デバイスは、基準容量（ＣＲＥＦ）を有し、該基準容量（ＣＲＥＦ）は、前記導電性構造（Ｇ）とガルバニックに接続され、および切替要素（Ｓ４）を備えるスイッチによって、該容量性測定デバイスの前記接地（ＧＮＤ）とガルバニックに接続される、項目１〜４のうちのいずれかに記載の容量性測定デバイス。
（項目６）
前記基準容量（ＣＲＥＦ）および前記結合容量（ＣＬ、ＣＲ）は、本質的に等しい、項目５に記載の容量性測定デバイス。
（項目７）
前記切替要素の切替容量（Ｃｓ）は、前記結合容量（ＣＬ、ＣＲ）よりも有意に低い、項目１〜６のうちのいずれかに記載の容量性測定デバイス。
（項目８）
特に、項目１〜７のいずれかに記載の容量性測定デバイスを用いて、携帯デバイス、特に、電気携帯デバイスへの手の接近を検出するための方法であって、該容量性測定デバイスは、少なくとも１つの接地電極（ＥＭ、ＥＲ、ＥＬ）を有する接地電極構造と、少なくとも１つのセンサ電極とを有し、
第１の測定サイクルにおいて、該容量性測定デバイスの前記接地（ＧＮＤ）は、該携帯デバイスの導電性構造（Ｇ）とガルバニックに接続され、第１のセンサ信号（ＤＳ１）が、該少なくとも１つのセンサ電極において検出され、
第２の測定サイクルにおいて、該容量性測定デバイスの該接地（ＧＮＤ）は、該接地電極構造の少なくとも１つの接地電極（ＥＭ）とガルバニックに接続され、第２のセンサ信号（ＤＳ２）が、該少なくとも１つのセンサ電極において検出され、
該第１のセンサ信号（ＤＳ１）と該第２のセンサ信号（ＤＳ２）との信号レベルの間の差が決定され、該決定された差は、該携帯デバイスへの該手の接近を示している、方法。
（項目９）
前記接地電極構造は、前記携帯デバイスの上に配列された少なくとも１つの第１の接地電極（ＥＬ）および少なくとも１つの第２の接地電極（ＥＲ）を有し、それにより、手による該携帯デバイスの把持によって、該２つの接地電極（ＥＬ、ＥＲ）のうちの少なくとも１つが、その手によって少なくとも部分的に被覆され、前記第２の測定サイクルにおいて、
最初に、該第１の接地電極（ＥＬ）は、前記容量性測定デバイスの前記接地（ＧＮＤ）とガルバニックに接続され、該第１の接地電極（ＥＬ）に関連付けられた第２のセンサ信号（ＤＳ２Ｌ）が、前記少なくとも１つのセンサ電極において検出され、
次に、該第２の接地電極（ＥＲ）は、該容量性測定デバイスの該接地（ＧＮＤ）とガルバニックに接続され、該第２の接地電極（ＥＲ）に関連付けられた第２のセンサ信号（ＤＳ２Ｒ）が、該少なくとも１つのセンサ電極において検出され、
該第１の接地電極（ＥＬ）に関連付けられた該第２のセンサ信号（ＤＳ２Ｌ）の前記信号レベルと該第１のセンサ信号（ＤＳ１）のそれとの間の第１の差は、該第２の接地電極（ＥＲ）に関連付けられた該第２のセンサ信号（ＤＳ２Ｒ）の該信号レベルと該第１のセンサ信号（ＤＳ１）のそれとの間の第２の差と比較され、該第１の差と該第２の差との間の差は、該２つの接地電極（ＥＬ、ＥＲ）のうちのいずれが該手によって被覆されているかを示している、項目８に記載の方法。
（項目１０）
少なくとも前記第２の測定サイクルにおいて、前記導電性構造（Ｇ）は、基準容量（ＣＲＥＦ）を用いて、前記容量性測定デバイスの前記接地（ＧＮＤ）と接続可能である、項目８〜９のうちのいずれかに記載の方法。
（項目１１）
前記基準容量（ＣＲＥＦ）および前記接地電極（ＥＭ、ＥＲ、ＥＬ）と前記導電性構造（Ｇ）との間の前記結合容量（ＣＭ、ＣＲ、ＣＬ）は、それらが本質的に等しくなるように選択される、項目１０に記載の方法。
（項目１２）
前記接地電極（ＥＭ、ＥＲ、ＥＬ）、前記基準容量（ＣＲＥＦ）、および前記導電性構造（Ｇ）は、切替要素（Ｓ１、Ｓ２、Ｓ３）を備えるスイッチを用いて、前記容量性測定デバイスの前記接地（ＧＮＤ）とそれぞれ接続可能であり、該切替要素の前記切替容量（Ｃｓ）は、それらが前記結合容量（ＣＭ、ＣＲ、ＣＬ）よりも有意に低くなるように選択される、項目１０〜１１のうちのいずれかに記載の方法。
（項目１３）
較正ステップにおいて、前記導電性構造（Ｇ）は、前記基準容量（ＣＲＥＦ）を用いて前記容量性測定デバイスの前記接地（ＧＮＤ）と接続され、第３のセンサ信号（ＤＳ３）が、前記少なくとも１つのセンサ電極において検出され、それは、少なくとも１つの接地電極（ＥＭ、ＥＲ、ＥＬ）に対する基準センサ信号としての役割を果たし、該少なくとも１つの接地電極（ＥＭ、ＥＲ、ＥＬ）と関連付けられた前記第２のセンサ信号（ＤＳ２）の信号レベルは、前記第１のセンサ信号（ＤＳ１）の信号レベルと該第３のセンサ信号（ＤＳ３）のそれとの間の差が、該第１のセンサ信号（ＤＳ１）の信号レベルと該第２のセンサの信号のそれとの間の差を上回るとき、該少なくとも１つの接地電極（ＥＭ、ＥＲ、ＥＬ）への接近を示している、項目１０〜１２のうちのいずれかに記載の方法。
（項目１４）
少なくとも、第３のセンサ信号（ＤＳ３）は、公差値（ε）によって補正される、項目１３に記載の方法。